(57)【要約】【課題】回路遮断器のＣＴの出力信号引き出し線の引き出し作業が容易で、なおかつ、所定位置に確実に固定できる２極回路遮断器を提供する。【課題を解決するための手段】主回路導体に装着された変流器（ＣＴ）と、該ＣＴの出力信号を器体外部に伝達するＣＴ出力信号引出し線と、前記主回路導体を他の極の導体と絶縁する極間絶縁壁と、ＣＴ出力信号引出し線引出口を設けた器体とを備えた２極回路遮断器であって、前記極間絶縁壁にＣＴ出力信号引出し線を巻付保持するＣＴ出力信号引出し線からげ部を一体に形成して構成した。【選択図】図１
2013246996.tif 000002
【特許請求の範囲】
【請求項１】
主回路導体に装着された変流器（ＣＴ）と、
該ＣＴの出力信号を器体外部に伝達するＣＴ出力信号引出し線と、
前記主回路導体を他の極の導体と絶縁する極間絶縁壁と、
ＣＴ出力信号引出し線引出口を設けた器体とを備えた２極回路遮断器であって、
前記極間絶縁壁にＣＴ出力信号引出し線を巻付保持するＣＴ出力信号引出し線からげ部を一体に形成したことを特徴とする２極回路遮断器。
【請求項２】
前記ＣＴ出力信号引出し線からげ部は、
前記極間絶縁壁に弾性部を介して形成されたことを特徴とする請求項１記載の２極回路遮断器。
【請求項３】
前記ＣＴ出力信号引出し線からげ部は、
前記ＣＴ出力信号引出し線引出部近傍に設けられる一方、
前記ＣＴ出力信号引出し線が器体の外部から引っ張られたときにＣＴ出力信号引出し線引出部近傍の器体内壁と当接する当接部を備えたことを特徴とする請求項２記載の２極回路遮断器。
【発明の詳細な説明】
【技術分野】
【０００１】
本発明は、分電盤に組み込まれる変流器（ＣＴ）を内装した回路遮断器において、該ＣＴからの出力信号を外部に伝達するＣＴ出力信号引き出し線を固定する構造に関する。
【背景技術】
【０００２】
近年、センサーや情報通信技術を活用して、住宅やビルなどにおいて使用される電気エネルギーを管理、制御するシステムが普及しつつある。使用される電気エネルギーを計測するために、電気を受電し夫々の負荷回路に分電する役割を担う分電盤内に、電流を計測する機能を持たせた分電盤が種々開示されている。
【０００３】
特許文献１には、分電盤内に配置される主回路遮断器や分岐回路遮断器に流れる電流を検出するために、夫々の回路遮断器外部に変流器を備えた分電盤が開示されている。本特許文献１においては、回路遮断器に接続される電線にカレントトランスを貫通させて電流検出素子（ＣＴ）を設置し、電流検出素子からの信号線が分電盤内に導出される形態がとられている。
【０００４】
このような形態においては、分電盤内には分岐回路用遮断器（１１ｂ）が多数配設され、各分岐回路用遮断器（１１ｂ）からは多数の信号線（１３）が分電盤内に導出される。このため多数の信号線（１３）が分電盤内に渡り浮遊するから、外部モニタ等への信号線の誤配線が生じ易くなるという課題が開示されている。特に、分電盤内には引き込み電線や各負荷側への電線（Ｃ）が浮遊している状態になって混雑しており、これらとの誤配線や、細い信号線の他の部品への挟み込み等が生じ易く、配線接続作業がし難くなっている課題について、信号線（１３）の接続を容易かつ確実に行うことができる施工性に優れた分電盤（１）を提供している。具体的には、電流検出素子（１１ｂ）から出力端が導出される信号線の出力端を接続する端子台（１４）を備えて分電盤（１）を構成している。（図９）
一方、電流検出素子（ＣＴ）の位置は、回路遮断器に接続される電線に貫通させているため、信号線の長さの範囲で、自由度が生ずる。信号線が引っ張られた場合には、この自由度の範囲内でＣＴの位置が移動する。
【０００５】
特許文献２には、ＣＴを回路遮断器外部ではなく、回路遮断器内部に配置した例が開示されている。家全体の電気エネルギを計測して表示することができる宅内電気エネルギ計測システムである。本特許文献２においては、各分岐ブレーカ（７）内に、分岐回路を流れる電流を検出する分岐変流器（７５）が設けられ、該分岐変流器（７５）の検出信号が、外部引出口（７６）を介してブレーカ外部に引出され、リード線（７７）およびその先端に設けられたハーネス（７８）に導かれる構成となっている。（図１０）
【０００６】
このような形態においては、回路遮断器の器体の内部にＣＴを内装した場合、回路遮断器のケースの側方に設けた孔からコネクタを備えたＣＴリード線を引き出す構造となっているため、ＣＴリード線が外部から引っ張られた場合にリード線を接続している部分に不用意に応力が印加しないような構成が必要である。
【０００７】
従来においては、リード線の器体内部の引き出し口付近において、リード線自体に引出口よりも大きな結び目を作り、外部にそれ以上リード線が引き出されないようにしていた。また、器体内部の引出口付近において結束バンドでリード線を結束し、結束バンドの結束部分が引出口よりも外部に出ないようにして、それ以上リード線が引き出されないようにしていた。
【先行技術文献】
【特許文献】
【０００８】
【特許文献１】特開２０１０−５７２３８号公報（図１）
【特許文献２】特開２００１−１０３６２２号公報（図６）
【発明の概要】
【発明が解決しようとする課題】
【０００９】
しかしながら、器体内部において所定の位置にリード線自体で結び目を作ったり、結束バンドによりリード線を結束する作業は、位置決めが難しく作業工数が増加する。また、結束バンド等の別部品が必要となるため、製造コストが増加し、さらに結束バンドの不要な部分を切除廃棄する必要が生ずるなどの課題があった。また、電線を引き出す方向ではなく、押し込まれる方向の動きは抑制することができず、不用意な押し込みによって、内部部品を圧迫したり、リード線の接続部分に不用な応力が印加される原因となっていた。
【００１０】
そこで、本発明は、上記課題に鑑み、回路遮断器のＣＴの出力信号引き出し線の引き出し作業が容易で、なおかつ、所定位置に確実に固定できる２極回路遮断器を提供することを目的とする。
【課題を解決するための手段】
【００１１】
本発明に係る回路遮断器は、上述の課題を解決すべく構成されたもので、請求項１記載の２極回路遮断器は、主回路導体に装着された変流器（ＣＴ）と、該ＣＴの出力信号を器体外部に伝達するＣＴ出力信号引出し線と、前記主回路導体を他の極の導体と絶縁する極間絶縁壁と、ＣＴ出力信号引出し線引出口を設けた器体とを備えた２極回路遮断器であって、前記極間絶縁壁にＣＴ出力信号引出し線を巻付保持するＣＴ出力信号引出し線からげ部を一体に形成したものである。
【００１２】
かかる構成によれば、器体内部に配置される極間絶縁壁にＣＴ出力信号引出し線からげ部を一体に形成したから、組立て時においては該からげ部にＣＴ出力信号引出し線をからげるだけで作業が完了し、また、内部部品に対するからげ部の位置は相対的に固定されているから、所定の長さの引き出し量にＣＴ出力信号引出し線を配線でき、作業性よく、確実に固定を行うことができる。また、結束バンドのような別部品が必要ないから、コストの増加を抑えて２極回路遮断器を提供できる。
【００１３】
また、請求項２記載の発明は、前記ＣＴ出力信号引出し線からげ部は、前記極間絶縁壁に弾性部を介して形成されたものである。
【００１４】
請求項２記載の発明によれば、からげ部にからげたＣＴ出力信号引出し線が引っ張られた場合においても、前記弾性部が撓むことにより、引っ張り力を緩和し、必要以上にＣＴ出力信号引出し線の接続部に応力が加わらない。
【００１５】
また、請求項３記載の発明は、前記ＣＴ出力信号引出し線からげ部は、前記ＣＴ出力信号引出し線引出部近傍に設けられる一方、前記ＣＴ出力信号引出し線が器体の外部から引っ張られたときにＣＴ出力信号引出し線引出部近傍の器体内壁と当接する当接部を備えたことを特徴とするものである。
【００１６】
請求項３記載の発明によれば、ＣＴ出力信号引出し線が引っ張られた場合には、からげ部が撓むが、所定上の力を受けると、撓んだからげ部が器体の内壁と当接し、それ以上撓まなくなる。
器体内部においては、からげ部にからげられたＣＴ出力信号引出し線の接続部には不用な応力が印加されず、確実に接続された状態を保持することができる。
【発明の効果】
【００１７】
本発明によれば、回路遮断器のＣＴの出力信号引き出し線の引き出し作業が容易で、なおかつ、所定位置に確実に固定できる２極回路遮断器を提供することができる。
【図面の簡単な説明】
【００１８】
【図１】第１の実施形態を示す回路遮断器の負荷端子側からの斜視図を示す。
【図２】同実施形態に係るＣＴ出力信号引出し線を引き出した状態の斜視図を示す。
【図３】同実施形態に係る器体のケースを分解した状態の斜視図を示す。
【図４】同実施形態に係る器体のケースを分解した状態の斜視図を示す。
【図５】同実施形態に係る器体のケースを分解した状態の斜視図を示す。
【図６】極間絶縁壁を分解した状態の斜視図を示す。
【図７】他の実施形態に係る極間絶縁壁の斜視図を示す。
【図８】同実施形態に係る極間絶縁壁の斜視図を示す。
【図９】従来例における回路遮断器を示す。
【図１０】従来例における回路遮断器を示す。
【発明を実施するための形態】
【００１９】
次に本発明に係る回路遮断器の実施形態を図１乃至図８を用いて詳細に説明する。
【００２０】
（第１の実施形態）
（回路遮断器の外観構成）
第１の実施形態について図１乃至図６を用いて説明する。本発明の２極回路遮断器１は、分電盤の分岐回路遮断器として用いられる回路遮断器である。該回路遮断器１は、電源側と負荷側を結ぶ方向を長手方向とした場合に、該長手方向に分割された第一のケース１０１と第二のケース１０２とを幅方向両側から重ね合わせて、その外郭、即ち器体が構成される。回路遮断器１を構成する各部品は、これらの分割された第一のケース１０１及び第二のケース１０２に挟み込まれるように収納される。
【００２１】
以降、長手方向において、図中１０５及び１０６で示された電線挿入孔が設けられた側を負荷側とし、長手方向において電線挿入孔１０５、１０６の反対側を電源側とし、回路遮断器１を操作する操作ハンドル１０３が設けられた側を前面側とし、回路遮断器を取付固定する取付板に取り付けられる側を底面側とし、左右の電線挿入孔１０５、１０６を結ぶ方向を幅方向として説明を行う。
【００２２】
（回路遮断器の内部構成）
回路遮断器１の器体内部には、電源側に設けられた電源側端子１０７、負荷側に設けられた負荷側端子、これら端子と接続される主回路導電部１０９、該主回路導電部１０９に介在し主回路導電部１０９に設けられた接点を接触／離反させる接点開閉機構部、主回路導電部１０９に過電流などの異常電流が流れたときには前記接点開閉機構に作用して回路を切動作させる自動遮断機構、前記主回路導体部１０９が貫装される変流器（ＣＴ）１０８等が設けられ、接点開閉機構部は、自動遮断機構による動作のほか操作ハンドル１０３によって器体の外部から手動で入切操作することができる。
【００２３】
（ＣＴ出力信号引き出し線）
ＣＴ１０８には、該ＣＴに貫装される主回路導体部１０９に流れる電流の大きさに応じて誘導電流が発生するが、この誘導電流をＣＴの出力信号として外部に伝達するために、ＣＴの出力端に接続されたＣＴ出力信号引き出し線１１０が接続される。該ＣＴ出力信号引き出し線１１０は、前方側に延出するよう設けられ、後述するからげ部にからげられた後、器体に設けられたＣＴ出力信号引出し線引出部１０２１から器体の外部に引き出される。
【００２４】
器体の外部において、ＣＴ出力信号引き出し線１１０の端部には、外部電線と接続するためのコネクタ１１１が設けられる。
【００２５】
器体の外部に引き出されたＣＴ出力信号引出し線１１０は、前記第二のケース１０２の側壁面に形成されたＣＴ出力信号引出し線収納部１０２１に収納される。該ＣＴ出力信号引出し線収納部１１０２１は前記ＣＴ出力信号引出し線引出部１０２１から連続的に底面側，負荷側に向かって形成され，ＣＴ出力信号引き出し線１１０の引き出し方向を所定の方向にガイドする。
【００２６】
（ＣＴ出力信号引き出し線引出部）
前記ＣＴ出力信号引出し線引出部１０２１は、本実施形態においては、第二のケース１０２に形成されている。該ＣＴ出力信号引出し線引出部１０２１は、第二のケース１０２に、重ね合わせ面側１０２０Ａから側壁面側となる１０２１Ａに達するスリット１０２３を形成することにより構成されている。該スリット１０２３は幅方向において、側壁面側１０２１Ａから重ね合わせ面側１０２０Ａに徐々に広がるようにテーパーをつけて形成されている。これにより、ＣＴ出力信号引出し線１１０をスリット１０２３に誘い込みやすくしている。
【００２７】
第一のケース１０１には、第二のケース１０２と重ね合わせたときに前記スリット１０２３と嵌合する嵌合部１０１１Ａが突条形成されている。該嵌合部１０１１Ａは、前面側−底面側において前記スリット１０２３のテーパー形状と対応する角度をつけて形成されており、幅方向の長さは、ケースを重ね合わせたときに、スリット１０２３の側壁面側からＣＴ出力信号引出し線１１０の太さ分程度隙間が設けられるよう形成されている。ケースを重ね合わせた場合には、ＣＴ出力信号引出し線引出部１０２１は、前記第二のケース１０２の器体角部に位置する。
【００２８】
前記嵌合部１０１１Ａは、ＣＴ出力信号引出し線１１０をスリット１０２３の側壁面側に配置せしめるガイドの役割を果たす。前記テーパー形状に形成されたスリット１０２３の側壁面側１０２１Ａと重ね合わせ面側１０２０Ａにおける前面側−底面側方向の差異（Δｈ）は、ＣＴ出力信号引出し線１１０の太さ分（φ）と同程度かもしくは小さく形成されており（Δｈ≦φ）、ケースを重ね合わせていく場合において、ＣＴ出力信号引出し線１１０が除々にスリットの奥側に導かれ、該ＣＴ出力信号引出し線１１０を挟み込むことなくケースを重ね合わせることができる。
【００２９】
（極間絶縁壁）
回路遮断器１の内部は、互いの極間が極間絶縁壁１０４によって絶縁されている。該極間絶縁壁１０４は、電源側端子部１０７から負荷側に亘って回路遮断器の長手方向に略平面状に器体内に配置されて極間を絶縁している。極間絶縁壁１０４はその負荷側において前記ＣＴ出力信号引出し線をからげるＣＴ出力信号引出し線からげ部１０４１が一体に形成されている。
【００３０】
該ＣＴ出力信号引き出し線からげ部１０４１は、器体内部において前記ＣＴ出力信号引き出し線引出部１０２１の近傍に位置する。また、前記ＣＴ１０８の前方に位置する。
【００３１】
まず、前記ＣＴ出力信号引出し線からげ部１０４１は、極間絶縁壁１０４にコの字状の折曲部分１０４１ｂを設けて形成した弾性部１０４２を介して一体に形成されており、幅方向に撓み易い構成となっている。
【００３２】
（ＣＴ出力信号引き出し線からげ部の構造）
該ＣＴ出力信号引き出し線からげ部１０４１は、前記ＣＴ出力信号引き出し線１１０をからげるための構成として、ＣＴ１０８の方向に延出するとともに器体の幅方向に亘って形成されＣＴ出力信号引き出し線をくせづけするためのＣＴ出力信号引き出し線導入部ａ（１０４１ａ）と、第２のケース１０２の側からＣＴ出力信号引き出し線を配置させ、第１のケース１０１の側にひきまわすための前記折曲部ａ（１０４１ｂ）と、第１のケース１０１の側から第２のケース１０２の側にＣＴ出力信号引き出し線をまわしてからげるためのからげ部ｃ（１０４１ｃ）と、からげたＣＴ出力信号引き出し線を第２のケース１０２の側に引き出して保持固定するためにＣＴ出力信号引き出し線の太さよりも幅狭いスリットを形成したＣＴ出力信号引き出し線挟込固定部ｄ（１０４１ｄ）と、を備えている。
【００３３】
（配線形態）
ＣＴ出力信号引き出し線１１０は次のように配線される。ＣＴ１０８から前方側に延出したＣＴ出力信号引き出し線１１０は、まず、ＣＴ出力信号引き出し線導入部ａ（１０４１ａ）の底面側に配置され、第２のケース１０２の側から第１のケース１０１の側に前方に向けて前記折曲部ｂ（１０４１ｂ）にひきまわされる。そして、からげ部ｃ（１０４１ｃ）に第１のケース１０１の側から第２のケース１０２の側にまわしてからげられ、第２のケース１０２の側に引き出してＣＴ出力信号引き出し線挟込固定部ｄ（１０４１ｄ）に挟み込むように配置して底面側にＣＴ出力信号引き出し線を引っ張り、挟み込み固定する。
【００３４】
ＣＴ１０８のＣＴ出力信号引き出し線接続部から、前記ＣＴ出力信号引き出し線挟込固定部ｄまでの経路長は一定であるので、これらの構成によって、ＣＴ出力信号引き出し線１１０をからげた場合、常にＣＴ出力信号引き出し線の所定の位置が固定される。即ち、器体外に引き出されるＣＴ出力信号引き出し線１１０の長さは一定に保たれる。
【００３５】
一方、ＣＴ出力信号引出し線からげ部１０４１は幅方向に撓み易い構成となっているが、この幅方向の撓みを、規定の範囲で抑制するために、該ＣＴ出力信号引出し線からげ部１０４１には、その幅方向において突条形成され、器体内部の第一のケース１０１及び第二のケース１０２の内壁間と夫々隙間を設けて形成される側壁に当接する当接部１０４１Ａ１、１０４１Ａ２が形成されている。
【００３６】
ＣＴ出力信号引き出し線からげ部に外力が加わったときには、前記隙間の大きさだけＣＴ出力信号引き出し線からげ部１０４１が幅方向に撓むことにより、規定の範囲で外力を緩和する。内壁に当接した後、なお外力が加わる場合には、もはや位置の幅方向の位置変化は内壁に当接することによって生じないから、ＣＴ出力信号引き出し線の接続部に不用な外力が印加されることはない。即ち、ＣＴ出力信号引き出し線が引っ張られた場合には、前記ＣＴ出力信号引き出し線からげ部１０４１は第２のケースの側に撓み、ＣＴ出力信号引き出し線が押し込まれた場合には、第１のケースの側に撓むが、規定の範囲内での撓みに抑えられ、ＣＴ出力信号引き出し線の接続部に不用な外力が印加されることはない。
【００３７】
（第２の実施形態）
第２の実施形態について図７、図８を用いて説明する。本実施形態においては、ＣＴ出力信号引き出し線からげ部１０４１Ｂのからげ部ｃ（１０４１ｃ）の形状を第１の実施形態の形状と違えたものである。
【００３８】
本実施形態においては、前記ＣＴ出力信号引き出し線からげ部１０４１Ｂのからげ部Ｂｃ（１０４１Ｂｃ）の形状を、第１のケース１０１の側から第２のケース１０２の側にかけて前面側から底面側に移るにつれて、からげ部Ｂｃが細くなるようにテーパー形状としたものである。
【００３９】
（ＣＴ出力信号引き出し線からげ部の構造）
ＣＴ出力信号引き出し線からげ部の構成は、第１の実施形態と略同様で、該ＣＴ出力信号引き出し線からげ部１０４１Ｂは、前記ＣＴ出力信号引き出し線１１０をからげるための構成として、ＣＴ１０８の方向に延出するとともに器体の幅方向に亘って形成されＣＴ出力信号引き出し線をくせづけするためのＣＴ出力信号引き出し線導入部Ｂａ（１０４１Ｂａ）と、第２のケース１０２の側からＣＴ出力信号引き出し線を配置させ、第１のケース１０１の側にひきまわすための前記折曲部Ｂｂ（１０４１Ｂｂ）と、第１のケース１０１の側から第２のケース１０２の側にＣＴ出力信号引き出し線をまわしてからげるためのからげ部Ｂｃ（１０４１Ｂｃ）と、からげたＣＴ出力信号引き出し線を第２のケース１０２の側に引き出して保持固定するためにＣＴ出力信号引き出し線の太さよりも幅狭いスリットを形成したＣＴ出力信号引き出し線挟込固定部Ｂｄ（１０４１Ｂｄ）と、を備えている。
【００４０】
（配線形態）
ＣＴ出力信号引き出し線１１０は次のように配線される。ＣＴ１０８から前方側に延出したＣＴ出力信号引き出し線１１０は、まず、ＣＴ出力信号引き出し線導入部Ｂａ（１０４１Ｂａ）の底面側に配置され、第２のケース１０２の側から第１のケース１０１の側に前方に向けて前記折曲部Ｂａ（１０４１Ｂｂ）にひきまわされる。そして、からげ部Ｂｃ（１０４１Ｂｃ）に第１のケース１０１の側から第２のケース１０２の側にまわしてからげられ、第２のケース１０２の側に引き出してＣＴ出力信号引き出し線挟込固定部Ｂｄ（１０４１Ｂｄ）に挟み込むように配置して底面側にＣＴ出力信号引き出し線を引っ張り、挟み込み固定する。
【００４１】
本実施形態においては、からげ部Ｂｃ（１０４１Ｂｃ）の形状を、第１のケース１０１の側から第２のケース１０２の側にかけて前面側から底面側に移るにつれて、からげ部Ｂｃが細くなるようにテーパー形状部（１０４１Ｂｃ１）を形成したから、ＣＴ出力信号引き出し線１１０をＣＴ出力信号引き出し線挟込固定部Ｂｄ（１０４１Ｂｄ）に挟み込むように配置して底面側にＣＴ出力信号引き出し線を引っ張ったときに、テーパー形状部（１０４１Ｂｃ１）にＣＴ出力信号引き出し線１１０が食い込み、より強固に位置決め固定が可能となる。
【００４２】
このようにＣＴ出力信号引き出し線の固定を行うことにより、ＣＴ１０８に接続されたＣＴ出力信号引き出し線１１０を所定の経路に配設し、底面側に引っ張るだけで、配線が完了する。
回路遮断器のＣＴの出力信号引き出し線の引き出し作業が容易で、なおかつ、所定位置に確実に固定できる２極回路遮断器を提供することができる。
【符号の説明】
【００４３】
１  回路遮断器
１０１  第一のケース
１０１１Ａ  嵌合部
１０２  第二のケース
１０２０Ａ  重ね合わせ面
１０２１  ＣＴ出力信号引出し線引出部
１０２１Ａ  側壁面側
１０２２  ＣＴ出力信号引出し線収納部
１０２３  スリット
１０３  操作ハンドル
１０４  極間絶縁壁
１０４１  ＣＴ出力信号引き出し線からげ部
１０４１ａ  ＣＴ出力信号引き出し線導入部ａ
１０４１ｂ  折曲部
１０４１ｃ  からげ部
１０４１ｄ  ＣＴ出力信号引き出し線挟込部
１０４１Ｂ  ＣＴ出力信号引き出し線からげ部Ｂ
１０４１Ｂａ  ＣＴ出力信号引き出し線導入部Ｂａ
１０４１Ｂｂ  折曲部Ｂ
１０４１Ｂｃ  からげ部Ｂ
１０４１Ｂｄ  ＣＴ出力信号引き出し線挟込部Ｂ
１０４２  弾性部
１０４３  当接部
１０４３Ａ１  当接部Ａ１
１０４３Ａ２  当接部Ａ２
１０５  電線挿入孔
１０６  電線挿入孔
１０７  電源側端子
１０８  変流器（ＣＴ）
１０９  主回路導体部
１１０  ＣＴ出力信号引出し線
１１１  コネクタ
１１２  極間絶縁部材
１１２１Ａ  嵌合部
【図１】
2013246996.tif 000003
【図２】
2013246996.tif 000004
【図３】
2013246996.tif 000005
【図４】
2013246996.tif 000006
【図５】
2013246996.tif 000007
【図６】
2013246996.tif 000008
【図７】
2013246996.tif 000009
【図８】
2013246996.tif 000010
【図９】
2013246996.tif 000011
【図１０】
2013246996.tif 000012